(57)【要約】【課題】遊び心を刺激するコンタクトレンズを提供する。【解決手段】少なくとも外周側領域に、外部より目視可能に複数の図形２Ａ、２Ｂを配置することにより、瞬きによる回転によって変化する当該コンタクトレンズ１の中心Ｏに対する複数の図形２Ａ、２Ｂの位置によって、外部から見てとられる目による表情が変化するようにする。【選択図】図１
2014238496.tif 000002
【特許請求の範囲】
【請求項１】
少なくとも外周側領域に、外部より目視可能に複数の図形を配置することにより、瞬きによる回転によって変化する当該コンタクトレンズの中心に対する前記複数の図形の位置によって、外部から見てとられる目による表情が変化するようにした
ことを特徴とするコンタクトレンズ。
【請求項２】
前記複数の図形は、
当該コンタクトレンズの中心及び前記中心を通って内外周方向に延長する仮想直線に対して非対称形状に形成された
請求項１又は請求項２に記載のコンタクトレンズ。
【請求項３】
前記複数の図形は、
配置された箇所が輝いていることをそれぞれ示す複数の星のマークを備える
請求項１、又は請求項２に記載のコンタクトレンズ。
【請求項４】
前記複数の図形は、
長軸が半径方向となるように設定されて放射状に配置された略楕円形状による複数のハイライトの部位を備える
請求項１、又は請求項２に記載のコンタクトレンズ。
【発明の詳細な説明】
【技術分野】
【０００１】
本発明は、コンタクトレンズに関し、遊び心を刺激するコンタクトレンズを提供する。
【背景技術】
【０００２】
コンタクトレンズには、視力を補助する目的で使用されるものの他に、いわゆるカラーコンタクのように、ファッションの目的で使用されるものが提供されている。このカラーコンタクトは、虹彩の色彩を所望する色彩に変化させることができる。
【０００３】
特許文献１には、三日月形状によるパターンをコンタクトレンズに施すことにより、装着者の虹彩を強調する工夫が提案されている。
【先行技術文献】
【特許文献】
【０００４】
【特許文献１】特表２０１１−５２７０２９号公報
【発明の概要】
【発明が解決しようとする課題】
【０００５】
ところでピアス等のアクセサリーにあっては、いわゆる遊び心を刺激するものがある。コンタクトレンズにあっても、このように遊び心を刺激する品物を提供することができれば、一段と利用を促進することができると考えられる。
【０００６】
本発明は、遊び心を刺激するコンタクトレンズを提供することを目的とする。
【課題を解決するための手段】
【０００７】
本発明者らは、瞬きによりコンタクトレンズが回転することを積極的に利用して、回転による位置の変化により外部から見てとられる目による表情が変化するようにする、との着想により本発明を完成するに至った。
【０００８】
（１）  少なくとも外周側領域に、外部より目視可能に複数の図形を配置することにより、瞬きによる回転によって変化する当該コンタクトレンズの中心に対する前記複数の図形の位置によって、外部から見てとられる目による表情が変化するようにする。
【０００９】
（１）によれば、瞬きによるコンタクトレンズの回転を積極的に利用して、外部から見てとられる目による表情が変化するように感じさせることができ、これにより遊び心を刺激することができる。
【００１０】
（２）  （１）において、
前記複数の図形は、
当該コンタクトレンズの中心及び前記中心を通って内外周方向に延長する仮想直線に対して非対称形状に形成された。
【００１１】
（２）によれば、瞬きによるコンタクトレンズの回転を外部より明確に見て取ることができ、その結果、表情の変化を判り易いものとすることができる。
【００１２】
（３）  （１）又は（２）において、
前記複数の図形は、
配置された箇所が輝いていることをそれぞれ示す複数の星のマークを備える。
【００１３】
（３）によれば、より具体的構成により、遊び心を刺激するコンタクトレンズを提供することができる。また恰もアニメの登場人物のような印象を与えることができる。
【００１４】
（４）  （１）又は（２）において、
前記複数の図形は、
長軸が半径方向となるように設定されて放射状に配置された略楕円形状による複数のハイライトの部位を備える。
【００１５】
（４）によれば、より具体的構成により、遊び心を刺激するコンタクトレンズを提供することができる。また恰もアニメの登場人物のような印象を与えることができる。
【発明の効果】
【００１６】
本発明によれば、遊び心を刺激するコンタクトレンズを提供することができる。
【図面の簡単な説明】
【００１７】
【図１】本発明の第１実施形態に係るコンタクトレンズを示す図である。
【図２】本発明の第２実施形態に係るコンタクトレンズを示す図である。
【図３】本発明の第３実施形態に係るコンタクトレンズを示す図である。
【発明を実施するための形態】
【００１８】
以下、図面を参照しながら本発明の実施形態を説明する。
【００１９】
〔第１実施形態〕
図１は、本発明の第１実施形態に係る１対のコンタクトレンズの１つを正面側より見て示す平面図である。ここで実施形態において、コンタクトレンズ１は、右目用及び左目用で同一に構成される。この図１では、最も開いた状態における瞳孔の大まかな外周を破線により示す。
【００２０】
コンタクトレンズ１は、この図１に示す瞳孔の部位を除く外周側領域に、目視可能に、複数の図形２Ａ、２Ｂが設けられる。この実施形態では、この複数の図形２Ａ、２Ｂに係る個々の図形に、アニメにおいて目を表現するために使用される星のマークが適用されて、この複数の図形が形状の大きな星のマーク２Ａと、この星のマーク２Ａに比して形状が小さく、星のマーク２Ａと相似形状である星のマーク２Ｂとにより構成される。また各星のマーク２Ａ、２Ｂは、正面視してコンタクトレンズ１の中央より右下方向に位置するようにコンタクトレンズ１を配置した場合に、水平及び垂直方向に外周が突出するように形成される。
【００２１】
これによりこのコンタクトレンズ１は、装着により、アニメの登場人物のように瞳が表現されることになり、遊び心を刺激することができる。特に、コンタクトレンズは、瞬きすると回転する特徴があり、これによりこのように複数の図形を外周側領域に配置した場合にあっては、瞬きをする毎に、図形の位置が変化することになる。これにより瞬きをする毎に、目の表情が変化することになり、一段と遊び心を刺激することができる。
【００２２】
すなわちこのような星のマーク２Ａ、２Ｂにあっては、そもそも目を強調し、さらには視線を強調することができ、これにより目による表情を強調することができる。また星のマーク２Ａ、２Ｂにあっては、このように目による表情を強調できることから、瞬きによるその位置の変化により、例えば上目使い、流し目等の、特定の方向に係る目による表情を顕著に強調することができ、その結果、瞬きする毎に目の表情を変化させ、遊び心を刺激することができる。
【００２３】
またこの実施形態では、この複数の図形が、この特定の箇所にて水平及び垂直方向に外周が突出する星のマーク２Ａ、２Ｂであることにより、瞬きしてコンタクトレンズ１の回転によりマーク２Ａ、２Ｂの位置が変化する場合には、星の傾き自体も変化し、これにより一段と著しく目による表情の変化を知覚させることができる。
【００２４】
またこのような瞬きによるコンタクトレンズ１の回転にあっては、右目と左目とで回転方向が異なり、また１回の瞬きによる回転量も右目と左目とで相違する。これにより瞬きの都度、右目と左目とでマーク２Ａ、２Ｂの向き、位置を種々に異ならせることができ、これによっても一段と目による表情を種々に変化させて、遊び心を刺激することができる。
【００２５】
またさらにコンタクトレンズ１は、当該コンタクトレンズ１の中心０、この中心０を通って内外周方向に延長する任意の仮想直線Ｌに対して、非対称形状によりこの複数の図形２Ａ、２Ｂが形成される。より具体的には、中心Ｏについては、この中心Ｏによる点対称を形成しないように、また仮想直線Ｌについては、種々の仮想直線Ｌについて線対称を形成しないように形成される。
【００２６】
これによりコンタクトレンズ１では、瞬きによるコンタクトレンズ１の回転を一段と確実に把握できるようにして、一段と確実に目による表情の変化を把握できるようにする。
【００２７】
またさらにコンタクトレンズ１は、遠くからも容易に判別できるように、星のマーク２Ａ、２Ｂが進出色及び又は高輝度により、より具体的には黄色により形成される。これによりコンタクトレンズ１は、遠くからも見て取ることができ、これにより一段と確実に表情の変化を印象付けることができる。なおこの進出色によるマーク２Ａ、２Ｂが目立つように、マーク２Ａ、２Ｂの背景である、マーク２Ａ、２Ｂを配置する外周側領域を、例えば黒色等の後退色及び又は低輝度により着色するようにしてもよい。なおこの場合、背景を単色により着色してもよく、またカラーコンタクトのような虹彩等の模様により着色してもよい。なおこれらのマークにあっては、カラーコンタクトレンズ等に使用される着色の技術を広く適用することができる。
【００２８】
この実施形態によれば、コンタクトレンズの外周側領域に、外部より目視可能に複数の図形を配置し、瞬きによる回転によってこの図形の位置が変化して目による表情が変化することにより、遊び心を刺激することができる。
【００２９】
また当該コンタクトレンズの中心及びこの中心を通って内外周方向に延長する仮想直線に対して非対称形状によりこの複数の図形を形成することにより、瞬きによるコンタクトレンズの回転を外部より明確に見て取ることができ、その結果、表情の変化を判り易いものとすることができる。
【００３０】
またさらにこの複数の図形を、配置された箇所が輝いていることをそれぞれ示す複数の星のマークとすることにより、アニメの登場人物の雰囲気を醸し出して、一段と、遊び心を刺激することができる。
【００３１】
〔第２実施形態〕
図２は、図１との対比により、本発明の第２実施形態に係るコンタクトレンズを示す図である。この実施形態では、この図２の配置において、水平方向及び垂直方向、斜め方向の計８方向に外周が突出する星のマーク７Ａ及び７Ｂが適用される。またこの星のマーク７Ａ及び７Ｂは、中心Ｏを間に挟んでほぼ対向するように配置されるものの、大きさが異なる相似形状により作成される。
【００３２】
これによりコンタクトレンズ６は、第１実施形態のコンタクトレンズ１と同様に、外周側領域に、外部より目視可能に複数の図形が配置され、瞬きによる回転によってこの図形の位置が変化して目による表情が変化するように構成される。またさらにコンタクトレンズの中心及びこの中心を通って内外周方向に延長する仮想直線に対して非対称形状によりこの複数の図形が形成され、さらにはこの複数の図形が、それぞれ配置された箇所が輝いていることを示す星のマークにより形成される。
【００３３】
この実施形態のコンタクトレンズ６は、この星のマーク７Ａ、７Ｂの形状、配置が異なる点を除いて、第１実施形態と同一に構成される。
【００３４】
この実施形態においても、第１実施形態と同様の効果を得ることができる。
【００３５】
〔第３実施形態〕
図３は、図１及び図２との対比により、本発明の第３実施形態に係るコンタクトレンズを示す図である。このコンタクトレンズ１１は、長軸が半径方向となるように設定されて放射状に配置された略楕円形状による複数のハイライトの部位を示すマーク１２Ａ、１２Ｂ、１２Ｃ、１２Ｄであって、長軸の長さが異なるマーク１２Ａ、１２Ｂ、１２Ｃ、１２Ｄにより、複数の図形が形成される。この実施形態では、このハイライトによる複数の図形の構成が異なる点を除いて、第１実施形態、第２実施形態と同一に構成される。
【００３６】
ここでハイライトの部位を示すマーク１２Ａ、１２Ｂ、１２Ｃ、１２Ｄは、高輝度である白色により形成される。
【００３７】
この実施形態では、長軸が半径方向となるように設定されて放射状に配置された略楕円形状による複数のハイライトの部位を示すマークにより複数の図形を構成するようにしても、第１又は第２実施形態と同様の効果を得ることができる。
【００３８】
〔他の実施形態〕
以上、本発明の実施に好適な具体的な構成を詳述したが、本発明は、本発明の趣旨を逸脱しない範囲で、上述の実施形態の構成を種々に変更し、さらに組み合わせることができる。
【００３９】
すなわち上述の実施形態では、星のマーク、ハイライトの部位を示すマークをそれぞれ配置する場合について述べたが、本発明はこれに限らず、これらを組み合わせて配置しても良く、さらにはこれらと他のマークとを組み合わせても良い。
【符号の説明】
【００４０】
１、６、１１  コンタクトレンズ
２Ａ、２Ｂ、７Ａ、７Ｂ、１２Ａ〜１２Ｄ  マーク
【図１】
2014238496.tif 000003
【図２】
2014238496.tif 000004
【図３】
2014238496.tif 000005